(57)【要約】【課題】回路基板において、基板上の領域を狭めることなく、コンデンサの振動を抑制する。【解決手段】回路基板は、基板（２１０）と、基板に実装され、少なくとも一対の電極及びこの一対の電極間に設けられた誘電体を夫々有する複数のコンデンサ（ＦＣ１、…、ＦＣ４）とを備え、複数のコンデンサは、第１グループ及び第２グループのうちのいずれか一方のグループに属し、第１グループに属するコンデンサ（ＦＣ１、ＦＣ３）に入力される交流電圧と、第２グループに属するコンデンサ（ＦＣ２、ＦＣ４）に入力される交流電圧とが、互いに逆位相である。【選択図】図１０
2010101952.tif 000002
【特許請求の範囲】
【請求項１】
基板と、
前記基板に実装され、少なくとも一対の電極及び前記一対の電極間に設けられた誘電体を夫々有する複数のコンデンサと
を備え、
前記複数のコンデンサは、
第１グループ及び第２グループのうちのいずれか一方のグループに属し、
前記第１グループに属するコンデンサに入力される交流電圧と、前記第２グループに属するコンデンサに入力される交流電圧とが、互いに逆位相である
ことを特徴とする回路基板。
【請求項２】
前記複数のコンデンサは、一つのチップコンデンサとして形成されていることを特徴とする請求項１に記載の回路基板。
【請求項３】
前記第１グループに属するコンデンサと、前記第２グループに属するコンデンサとが交互に配置されていることを特徴とする請求項１又は２に記載の回路基板。
【請求項４】
前記第１グループと前記第２グループとが互いに隣り合って配置されていることを特徴とする請求項１又は２に記載の回路基板。
【請求項５】
前記複数のコンデンサには、互いに同じ大きさの交流電圧が入力され、
前記第１グループに属するコンデンサの数と、前記第２グループに属するコンデンサの数とは互いに同じである
ことを特徴とする請求項１から４のいずれか一項に記載の回路基板。
【請求項６】
前記複数のコンデンサは、
第１のコンデンサと、
入力される交流電圧が前記第１のコンデンサよりも夫々小さい第２のコンデンサ及び第３のコンデンサと
を含み、
前記第１のコンデンサは、前記第１グループに属し、
前記第２及び第３のコンデンサは、前記第２グループに属する
ことを特徴とする請求項１から４のいずれか一項に記載の回路基板。
【請求項７】
複数の画素部を有する電気光学パネルと、
前記電気光学パネルに接続された請求項１から６のいずれか一項に記載の回路基板と
を備えることを特徴とする電気光学装置。
【請求項８】
前記複数の画素部を駆動する駆動回路と、
複数の昇圧回路を有し、前記駆動回路に供給する複数の電圧を生成する電源回路と
を備え、
前記複数のコンデンサの各々は、前記複数の昇圧回路のいずれかの一部を構成する
ことを特徴とする請求項７に記載の電気光学装置。
【請求項９】
請求項７又は８に記載の電気光学装置を具備してなることを特徴とする電子機器。
【発明の詳細な説明】
【技術分野】
【０００１】
本発明は、例えば基板上に複数のコンデンサが実装されてなる回路基板、このような回路基板を備える液晶装置等の電気光学装置、及びこのような電気光学装置を備える電子機器の技術分野に関する。
【背景技術】
【０００２】
この種の回路基板の一例として、例えばフレキシブル基板等の基板に、例えば積層セラミックコンデンサ等のコンデンサが実装された回路基板が知られている。このような回路基板において、コンデンサに交流電圧が入力されると、コンデンサを構成する誘電体の圧電性に起因して、コンデンサが機械的に振動して雑音が発生してしまう場合がある。更に、このようなコンデンサの振動がフレキシブル基板に伝播して雑音が大きくなってしまう場合もある。尚、このようにコンデンサが振動することにより雑音が発生する現象は、「音鳴き」或いは単に「鳴き」と呼ばれることもある。例えば特許文献１には、コンデンサの振動により発生する雑音を緩和するために、コンデンサを囲むようにフレキシブル基板に穴を形成する技術が開示されている。
【０００３】
また、例えば液晶装置等の電気光学装置では、駆動のための複数の電圧を生成するために、チャージポンプ回路等の昇圧回路が複数設けられる（例えば特許文献２参照）。各昇圧回路には、チャージポンプ動作を行うためのコンデンサ（以下、適宜「フライングコンデンサ」と称する）が設けられる。フライングコンデンサは、表示を行う電気光学パネルに接続されたフレキシブル基板等の基板に実装される。フライングコンデンサに交流電圧が入力されることで、フライングコンデンサが機械的に振動して雑音が発生してしまうおそれがある。
【０００４】
【特許文献１】特開２００７−５３２４８号公報
【特許文献２】特開２００８−２０９９０１号公報
【発明の開示】
【発明が解決しようとする課題】
【０００５】
上述した特許文献１による技術によれば、フレキシブル基板にコンデンサを囲むように穴を形成するため、コンデンサを実装する領域の他に、穴を形成する領域をフレキシブル基板上に確保する必要がある。このため、フレキシブル基板上において、配線を形成する配線領域や他の部品を実装する領域が狭くなってしまうという技術的問題点がある。特に、例えば特許文献１の図１に記載されるように、複数のコンデンサがフレキシブル基板に実装される場合には、コンデンサ毎に穴を形成する必要があるため、フレキシブル基板上における配線領域等が狭くなってしまうという弊害が顕著に現れる。
【０００６】
本発明は、例えば上述した問題点に鑑みなされたものであり、基板上の領域を狭めることなく、コンデンサの振動を抑制可能な回路基板、このような回路基板を備える電気光学装置、及びこのような電気光学装置を備える電子機器を提供することを課題とする。
【課題を解決するための手段】
【０００７】
本発明の回路基板は上記課題を解決するために、基板と、前記基板に実装され、少なくとも一対の電極及び前記一対の電極間に設けられた誘電体を夫々有する複数のコンデンサとを備え、前記複数のコンデンサは、第１グループ及び第２グループのうちのいずれか一方のグループに属し、前記第１グループに属するコンデンサに入力される交流電圧と、前記第２グループに属するコンデンサに入力される交流電圧とが、互いに逆位相である。
【０００８】
本発明の回路基板によれば、例えばフレキシブル基板（言い換えば、可撓性基板）等の基板に、例えば積層セラミックコンデンサとして形成された複数のコンデンサが実装される。複数のコンデンサは、例えば、１つのチップコンデンサ（例えばアレイコンデンサ）として基板に実装される。複数のコンデンサには、交流電圧が入力（或いは印加）される。
【０００９】
本発明では特に、複数のコンデンサは、第１グループ及び第２グループのうちのいずれか一方のグループに属し、第１グループに属するコンデンサに入力される交流電圧と、第２グループに属するコンデンサに入力される交流電圧とが、互いに逆位相である。言い換えれば、本発明では特に、複数のコンデンサは、第１グループに属するコンデンサに入力される交流電圧と、第２グループに属するコンデンサに入力される交流電圧とが互いに逆位相になるように、第１グループ及び第２グループの２つのグループに分けられている。ここで、「互いに逆位相である」とは、コンデンサを構成する電極間に印加される電圧の極性が逆であると共に周期が互いに同じであること意味する。尚、第１グループに属するコンデンサに入力される交流電圧と、第２グループに属するコンデンサに入力される交流電圧とは、互いに同じ大きさ（即ち、互いに同じ振幅）を有していてもよいし、互いに異なる大きさ（即ち、互いに異なる振幅）を有していてもよい。更に、第１グループに属するコンデンサの各々に入力される交流電圧は、互いに同じ大きさを有していてもよいし、互いに異なる大きさを有していてもよい。加えて、第２グループに属するコンデンサの各々に入力される交流電圧も、互いに同じ大きさを有していてもよいし、互いに異なる大きさを有していてもよい。
【００１０】
よって、第１グループに属するコンデンサを構成する誘電体と、第２グループに属するコンデンサを構成する誘電体とには、互いに逆位相の電圧が印加される。従って、第１グループに属するコンデンサの誘電体の圧電性に起因して生ずる、第１グループに属するコンデンサの機械的な振動と、第２グループに属するコンデンサの誘電体の圧電性に起因して生ずる、第２グループに属するコンデンサの機械的な振動とを互いに逆位相とすることができる。これにより、第１グループに属するコンデンサの機械的な振動と、第２グループに属するコンデンサの機械的な振動とを互いに打ち消し合わせる（即ち、相殺させる）ことができる。ここで、各コンデンサの機械的な振動の周期は、各コンデンサに入力される交流電圧に応じたものとなる。よって、第１グループに属するコンデンサの機械的な振動の周期と、第２グループに属するコンデンサの機械的な振動の周期とは殆ど或いは完全に一致するので、第１グループに属するコンデンサの機械的な振動と、第２グループに属するコンデンサの機械的な振動とを確実に相殺させることができる。この結果、コンデンサに交流電圧が入力される際、コンデンサが機械的に振動して雑音が発生してしまうことを抑制することができる。
【００１１】
尚、コンデンサに交流電圧が入力されると、コンデンサは、誘電体に対する電圧の印加方向に応じて、機械的に振動する。よって、例えば、第１グループに属するコンデンサが、例えばフレキシブル基板等の基板の基板面（或いは実装面）に対して垂直方向に、一対の電極及び誘電体が積層された積層構造を有するコンデンサとして形成される場合には、第２グループに属するコンデンサも、第１グループに属するコンデンサと同様に、基板の基板面（或いは実装面）に対して垂直方向に、一対の電極及び誘電体が積層された積層構造を有するコンデンサとして形成されるとよい。第１及び第２グループに属するコンデンサの各々を、このような積層構造を有するコンデンサとして形成することにより、複数のコンデンサに交流電圧が入力される際、第１グループに属するコンデンサの誘電体に対する電圧の印加方向と、第２グループに属するコンデンサの誘電体に対する電圧の印加方向とを互いに逆（即ち、反対）にすることができる。よって、第１グループに属するコンデンサの振動方向と、第２グループに属するコンデンサの振動方向とを互いに逆にすることができ、第１グループに属するコンデンサの振動と、第２グループに属するコンデンサの振動とを、より確実に、互いに打ち消し合わせることができる。
【００１２】
更に、本発明によれば、例えばフレキシブル基板等の基板に実装されたコンデンサが機械的に振動することを抑制できるので、コンデンサの振動が基板に伝播することにより発生する雑音を低減する或いは実践上無くすことも可能となる。
【００１３】
加えて、本発明によれば、上述したように、第１グループに属するコンデンサの振動と、第２グループに属するコンデンサの振動とを互いに打ち消し合わせるので、基板上の領域を狭めずに、コンデンサの振動を抑制できる。よって、基板上の限られた領域を有効に利用することができる。或いは、基板を小さくすることができ、当該回路基板の小型化も可能となる。
【００１４】
以上説明したように、本発明の回路基板によれば、基板上の領域を狭めることなく、コンデンサの振動を抑制することができる。
【００１５】
本発明の回路基板の一態様では、前記複数のコンデンサは、一つのチップコンデンサとして形成されている。
【００１６】
この態様によれば、複数のコンデンサは、例えば積層型セラミックチップコンデンサ等のチップコンデンサとして一体的に形成されている。言い換えれば、複数のコンデンサは、一つのアレイコンデンサとして形成されている。よって、第１グループに属するコンデンサと、第２グループに属するコンデンサとを、例えば他の電子部品を介さずに、互いに近接させて配置することができる。従って、第１グループに属するコンデンサの振動と、第２グループに属するコンデンサの振動とを、より確実に、互いに打ち消し合わせることができる。例えば、仮に、第１グループに属するコンデンサと第２グループに属するコンデンサとの間に、他の電子部品が介在している場合には、第１グループに属するコンデンサの振動が、第２グループに属するコンデンサに伝播することを他の電子部品によって阻害されてしまったり、第２グループに属するコンデンサの振動が、第１グループに属するコンデンサに伝播することを他の電子部品によって阻害されてしまったりするおそれがある。このため、この場合には、第１グループに属するコンデンサの振動と、第２グループに属するコンデンサの振動とを互いに打ち消し合わせる効果が低減してしまうおそれがある。しかるに、この態様によれば、上述したように、第１グループに属するコンデンサと、第２グループに属するコンデンサとを、例えば他の電子部品を介さずに、互いに近接させて配置することができるので、振動を互いに打ち消し合わせる効果（即ち、振動の相殺効果）を確実に得ることが可能である。尚、複数のコンデンサが各々コンデンサチップとなっている場合には、第１グループに属するコンデンサと第２グループに属するコンデンサとの間に、他の電子部品が介在しないよう、コンデンサチップ同士を互いに近接させて配置することで同様の効果を得ることができる。
【００１７】
本発明の回路基板の他の態様では、前記第１グループに属するコンデンサと、前記第２グループに属するコンデンサとが交互に配置されている。
【００１８】
この態様によれば、例えば、基板上における一の方向に沿って、第１グループに属するコンデンサ、第２グループに属するコンデンサ、第１グループに属するコンデンサ、第２グループに属するコンデンサ、…の順に配置されるなど、第１グループに属するコンデンサと、第２グループに属するコンデンサとが交互に配置されている。よって、第１グループに属するコンデンサと第２グループに属するコンデンサとを互いに隣り合うように配置することができ、第１グループに属するコンデンサの振動と、第２グループに属するコンデンサの振動とを、より確実に、互いに打ち消し合わせることができる。
【００１９】
本発明の回路基板の他の態様では、前記第１グループと前記第２グループとが互いに隣り合って配置されている。
【００２０】
この態様によれば、例えば、基板上における一の方向に沿って、第１グループに属するコンデンサ、第１グループに属するコンデンサ、第１グループに属するコンデンサ、第２グループに属するコンデンサ、第２グループに属するコンデンサ、第２グループに属するコンデンサ、第１グループに属するコンデンサ、第１グループに属するコンデンサ、第１グループに属するコンデンサ、…の順に配置される（言い換えれば、互いに同じグループに属する３つのコンデンサが互いに隣り合うように配列される）など、第１グループと第２グループとが互いに隣り合うように配置されている。言い換えれば、互いに同じグループに属する複数のコンデンサからなるコンデンサ群が互いに隣り合うように配置されている。よって、第１グループと第２グループとの境目付近において、第１グループに属するコンデンサの振動と、第２グループに属するコンデンサの振動とを、より確実に、互いに打ち消し合わせることができる。
【００２１】
本発明の回路基板の他の態様では、前記複数のコンデンサには、互いに同じ大きさの交流電圧が入力され、前記第１グループに属するコンデンサの数と、前記第２グループに属するコンデンサの数とは互いに同じである。
【００２２】
この態様によれば、第１グループに属するコンデンサの振動と、第２グループに属するコンデンサの振動とを、より確実に、互いに打ち消し合わせることができる。ここで、第１グループ及び第２グループの各々で生じるコンデンサの振動は、各グループに属するコンデンサの数、及びコンデンサに入力される交流電圧の大きさに応じたものとなることから、本態様の如く、第１グループ及び第２グループの各々に属するコンデンサを同数とすると共に、全てのコンデンサに同電圧の交流電圧が入力される構成とすることで、第１グループに属する全てのコンデンサの振動と第２グループに属する全てのコンデンサの振動とを互いに打ち消し合わせることが可能となる。
【００２３】
本発明の回路基板の他の態様では、前記複数のコンデンサは、第１のコンデンサと、入力される交流電圧が前記第１のコンデンサよりも夫々小さい第２のコンデンサ及び第３のコンデンサとを含み、前記第１のコンデンサは、前記第１グループに属し、前記第２及び第３のコンデンサは、前記第２グループに属する。
【００２４】
この態様によれば、第１グループに属する第１のコンデンサの振動と、第２グループに属する第２及び第３のコンデンサの振動とを互いに打ち消し合わせることができる。ここで、第２及び第３のコンデンサに夫々入力される交流電圧の大きさは、第１のコンデンサに入力される交流電圧の大きさよりも小さい。即ち、例えば、（第１のコンデンサに入力される交流電圧の大きさ）＞（第２のコンデンサに入力される交流電圧の大きさ）≧（第３のコンデンサに入力される交流電圧の大きさ）の関係が成立する。よって、仮に何らの対策も施さねば、各コンデンサに交流電圧が入力されると、第１のコンデンサは、第２及び第３のコンデンサよりも大きな振幅で振動してしまうおそれがある。しかるに、本態様では、第１、第２及び第３のコンデンサのうち、入力される交流電圧の大きさが最も大きい第１のコンデンサと、入力される交流電圧の大きさが第１のコンデンサよりも小さい第２及び第３のコンデンサとは、互いに異なるグループに属するので、第１のコンデンサの振動と、第２及び第３のコンデンサの振動とを互いに打ち消し合わせることができる。つまり、本態様によれば、第１、第２及び第３のコンデンサのうち、入力される交流電圧の大きさが最も大きい第１のコンデンサと、入力される交流電圧の大きさが第１のコンデンサよりも小さい第２及び第３のコンデンサとを、互いに異なるグループに属するようにするので、各グループで生じる振動の大きさを近似させることができ、第１グループに属するコンデンサの振動と、第２グループに属するコンデンサの振動とを、より確実に、相殺させることができる。
【００２５】
本発明の電気光学装置は上記課題を解決するために、複数の画素部を有する電気光学パネルと、前記電気光学パネルに接続された、上述した本発明の回路基板（但し、その各種態様も含む）とを備える。
【００２６】
本発明の電気光学装置は、上述した本発明の回路基板を備えるので、コンデンサの振動に起因する雑音が低減された、例えば液晶装置、有機ＥＬ（Electro-Luminescence）装置等の電気光学装置を実現できる。
【００２７】
本発明の電気光学装置の一態様では、前記複数の画素部を駆動する駆動回路と、複数の昇圧回路を有し、前記駆動回路に供給する複数の電圧を生成する電源回路とを備え、前記複数のコンデンサの各々は、前記複数の昇圧回路のいずれかの一部を構成する。
【００２８】
この態様によれば、電気光学装置は、電気光学パネルの複数の画素部を駆動する駆動回路に供給する複数の電圧を生成する電源回路を有する。電源回路には、生成する電圧毎に、例えばチャージポンプ回路及びフライングコンデンサを含む昇圧回路が設けられる。
【００２９】
本態様では特に、上述した本発明の回路基板が備える複数のコンデンサの各々は、複数の昇圧回路のいずれかの一部（例えばフライングコンデンサ）を構成する。言い換えれば、本態様では特に、電源回路が有する複数の昇圧回路の各々に含まれるコンデンサ（例えばフライングコンデンサ）は、電気光学パネルに接続された例えばフレキシブル基板等の基板上に、例えばアレイコンデンサとして実装されると共に、第１グループ及び第２グループのうちいずれか一方のグループに属し、第１グループに属するコンデンサに入力される交流電圧と、第２グループに属するコンデンサに入力される交流電圧とが、互いに逆位相である。
【００３０】
よって、複数の昇圧回路の各々に含まれるコンデンサに交流電圧が入力される際、コンデンサが機械的に振動して雑音が発生してしまうことを抑制することができる。
【００３１】
本発明の電子機器は上記課題を解決するために、上述した本発明の電気光学装置（但し、その各種態様も含む）を具備してなる。
【００３２】
本発明の電子機器によれば、上述した本発明の電気光学装置を具備してなるので、コンデンサの振動に起因する雑音が低減された、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた表示装置を実現することも可能である。
【００３３】
本発明の作用及び他の利得は次に説明する実施するための最良の形態から明らかにされる。
【発明を実施するための最良の形態】
【００３４】
以下では、本発明の実施形態について図を参照しつつ説明する。以下の実施形態では、本発明の回路基板が適用された電気光学装置の一例として、ＴＦＴ（Thin Film Transistor）アクティブマトリクス駆動方式の液晶装置を例にとる。
【００３５】
＜第１実施形態＞
第１実施形態に係る液晶装置について、図１から図１１を参照して説明する。
【００３６】
先ず、本実施形態に係る液晶装置の全体構成について、図１を参照して概略的に説明する。
【００３７】
図１は、本実施形態に係る液晶装置の全体構成を概略的に示す斜視図である。
【００３８】
図１において、本実施形態に係る液晶装置１は、本発明に係る「電気光学パネル」の一例としての液晶パネル１００と、回路基板２００とを備えている。
【００３９】
液晶パネル１００は、ＴＦＴ等のスイッチング素子によって液晶素子を駆動するアクティブマトリクス駆動方式の表示パネルであり、画像表示領域１０ａにおいて画像を表示することが可能に構成されている。尚、液晶パネル１００の構成については、図２及び図３を参照して後に詳細に説明する。
【００４０】
回路基板２００は、液晶パネル１００における外部回路接続端子１０２に電気的に接続されている。回路基板２００は、本発明に係る「基板」の一例としてのフレキシブル基板２１０と、集積回路（ＩＣ：Integrated Circuit）２２０と、本発明に係る「チップコンデンサ」の一例としてのアレイコンデンサ２３０とを備えている。
【００４１】
集積回路２２０は、フレキシブル基板２１０に実装されており、液晶パネル１００を駆動するための回路（例えば、図４を参照して後述する電源回路３００の一部や表示コントローラ４００）を含んでいる。
【００４２】
アレイコンデンサ２３０は、複数のコンデンサを含むアレイ型の積層セラミックコンデンサであり、フレキシブル基板２１０に実装されている。アレイコンデンサ２３０は、本発明に係る「複数のコンデンサ」の一例として、図５を参照して後述する電源回路３００に含まれる複数のフライングコンデンサＦＣ（即ち、フライングコンデンサＦＣ１、…、ＦＣｎ）を含んでいる。尚、アレイコンデンサ２３０の構成については、図８から図１１を参照して後に詳細に説明する。
【００４３】
次に、本実施形態に係る液晶パネルの構成について、図２及び図３を参照して説明する。
【００４４】
図２は、本実施形態に係る液晶パネルの構成を示す平面図であり、図３は、図２のＨ−Ｈ’線断面図である。
【００４５】
図２及び図３において、液晶パネル１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００４６】
図２において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。走査線駆動回路１０４は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００４７】
尚、本実施形態では、データ線駆動回路１０１及び走査線駆動回路１０４が液晶パネル１００に内蔵されるように構成したが、データ線駆動回路１０１及び走査線駆動回路１０４の少なくとも一方（或いは、その一部）がフレキシブル基板２１０に集積回路（ＩＣ）として実装されてもよい。例えば、データ線駆動回路１０１及び走査線駆動回路１０４の少なくとも一方が、図１を参照して上述した集積回路２２０に含まれるように構成してもよい。
【００４８】
ＴＦＴアレイ基板１０上には、外部回路接続端子１０２と、データ線駆動回路１０１、走査線駆動回路１０４、上下導通端子１０６等とを電気的に接続するための引回配線９０が形成されている。
【００４９】
図３において、ＴＦＴアレイ基板１０上には、画素スイッチング用ＴＦＴや走査線、データ線等の配線が作り込まれた積層構造が形成されている。画像表示領域１０ａには、画素スイッチング用ＴＦＴや走査線、データ線等の配線の上層に、例えばＩＴＯ（Indium Tin Oxide）等の透明材料からなる画素電極９がマトリクス状に設けられている。画素電極９上には、配向膜が形成されている。他方、対向基板２０におけるＴＦＴアレイ基板１０との対向面上に、遮光膜２３が形成されている。遮光膜２３は、例えば遮光性金属膜等から形成されており、対向基板２０上の画像表示領域１０ａ内で、例えば格子状等にパターニングされている。そして、遮光膜２３上に、例えばＩＴＯ等の透明材料からなる対向電極２１が複数の画素電極９と対向してベタ状に形成されている。対向電極２１上には配向膜が形成されている。また、液晶層５０は、例えば一種又は数種類のネマティック液晶を混合した液晶からなり、これら一対の配向膜間で、所定の配向状態をとる。
【００５０】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。
【００５１】
次に、本実施形態に係る液晶装置の電気的な構成について、図４を参照して説明する。
【００５２】
図４は、本実施形態に係る液晶装置の電気的な構成を示すブロック図である。
【００５３】
図４において、本実施形態に係る液晶装置１は、液晶パネル１００における画像表示領域１０ａにマトリクス状に設けられた複数の画素部７２を駆動するために、走査線駆動回路１０４と、データ線駆動回路１０１と、表示コントローラ４００とを含む駆動回路を備えており、更に、これら駆動回路に対して複数の電圧を供給する電源回路３００を備えている。
【００５４】
表示コントローラ４００は、図示しない中央演算処理装置（ＣＰＵ：Central Processing Unit）等のホストにより設定された内容に従って、データ線駆動回路１０１、走査線駆動回路１０４及び電源回路３００を制御する。例えば、表示コントローラ４００は、最小単位のクロックであって各画素を走査するためのドットクロックを作成し、このドットクロックに基づいて、Ｙクロック信号ＣＬＹ（及び反転Ｙクロック信号ＣＬＹｉｎｖ）、Ｘクロック信号ＣＬＸ（及び反転Ｘクロック信号ＸＣＬｉｎｖ）、ＹスタートパルスＤＹ及びＸスタートパルスＤＸ等の各種タイミング信号を生成する。
【００５５】
走査線駆動回路１０４は、表示コントローラ４００からＹクロック信号ＣＬＹ、反転Ｙクロック信号ＣＬＹｉｎｖ及びＹスタートパルスＤＹが供給される。走査線駆動回路１０４は、ＹスタートパルスＤＹが入力されると、Ｙクロック信号ＣＬＹ及び反転Ｙクロック信号ＣＬＹｉｎｖに基づくタイミングで、走査信号Ｇｉ（但し、ｉ＝１、・・・、ｍ）を順次生成して走査線１１に出力する。
【００５６】
データ線駆動回路１０１は、表示コントローラ４００からＸクロック信号ＣＬＸ、反転Ｘクロック信号ＣＬＸｉｎｖ及びＸスタートパルスＤＸが供給される。データ線駆動回路１０１は、ＸスタートパルスＤＸが入力されると、Ｘクロック信号ＣＬＸ及び反転Ｘクロック信号ＸＣＬＸｉｎｖに基づくタイミングで、外部から供給される画像データ（或いは階調データ）に応じた画像信号Ｄｉ（但し、ｉ＝１、２、・・・、ｎ）をデータ線６に順次に出力する。
【００５７】
電源回路３００は、外部から供給されるシステム電源電圧を昇圧するなどして、複数の画素部７２を駆動するのに必要な各種の電圧（例えば階調電圧）を生成可能に構成されている。電源回路３００は、図５を参照して後述するように、複数の昇圧回路３１０（即ち、昇圧回路３１０−１、…、３１０−ｎ）を含んで構成され、複数の電圧をデータ線駆動回路１０１、走査線駆動回路１０４等の駆動回路に供給する。
【００５８】
図４において、液晶パネル１００における画像表示領域１０ａにマトリクス状に形成された複数の画素部７２には、それぞれ、画素電極９と、この画素電極９をスイッチング制御するための画素スイッチング用ＴＦＴ３０とが形成されており、画像信号Ｄｉが供給されるデータ線６が当該画素スイッチング用ＴＦＴ３０のソースに電気的に接続されている。データ線６に書き込むデータ信号Ｄｉは、この順に線順次に供給しても構わないし、互いに隣り合う複数のデータ線６同士に対して、グループ毎に供給するようにしてもよい。また、画素スイッチング用ＴＦＴ３０のゲートに走査線１１が電気的に接続されている。走査線１１には、上述したように、走査線駆動回路１０４から所定のタイミングで走査信号Ｇ１、Ｇ２、・・・、Ｇｍが、この順に線順次で印加される。尚、本実施形態では、説明の簡単のため、走査信号Ｇ１、Ｇ２、・・・、Ｇｍがこの順に線順次で走査線１１に印加されるように構成しているが、走査信号Ｇｉ（但し、ｉ＝１、２、・・・、ｍ）が走査線１１に印加される順序は、任意の順序であってもよい。画素電極９は、画素スイッチング用ＴＦＴ３０のドレインに電気的に接続されており、スイッチング素子である画素スイッチング用ＴＦＴ３０を一定期間だけそのスイッチを閉じることにより、データ線６から供給される画像信号Ｄｉを所定のタイミングで書き込む。
【００５９】
画素電極９を介して液晶に書き込まれた所定レベルの画像信号Ｄｉ（但し、ｉ＝１、２、・・・、ｎ）は、対向基板２０（図３参照）に形成された対向電極２１（図３参照）との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶装置からは画像信号に応じたコントラストをもつ光が出射する。
【００６０】
ここで保持された画像信号がリークするのを防ぐために、画素電極９と対向電極２１との間に形成される液晶容量と並列に蓄積容量７０が付加されている。蓄積容量７０の一方の電極は、画素電極９と並列して画素スイッチング用ＴＦＴ３０のドレインに電気的に接続され、他方の電極は、定電位となるように、電位固定の容量配線８に電気的に接続されている。
【００６１】
次に、本実施形態に係る液晶装置の電源回路の主要な構成について、図５を参照して説明する。
【００６２】
図５は、本実施形態に係る液晶装置の電源回路の主要な構成を示すブロック図である。
【００６３】
図５において、電源回路３００は、複数の昇圧回路３１０（即ち、昇圧回路３１０−１、…、３１０−ｎ）を備えており、複数の入力電圧Ｖｉｎ（即ち、入力電圧Ｖｉｎ−１、…、Ｖｉｎ−ｎ）を夫々昇圧して、複数の出力電圧Ｖｏｕｔ（即ち、出力電圧Ｖｉｎ−１、…、Ｖｏｕｔ−ｎ）を出力する。尚、複数の入力電圧Ｖｉｎは、互いに異なる電圧である。
【００６４】
昇圧回路３１０−１は、チャージポンプ回路５１０−１と、フライングコンデンサＦＣ１と、出力側コンデンサ５２０−１とを含んで構成されており、入力電圧Ｖｉｎ−１を例えば２倍に昇圧して出力電圧Ｖｏｕｔ−１として出力する。
【００６５】
昇圧回路３１０−ｉ（但し、ｉ＝２、…、ｎ）は、昇圧回路３１０−１と概ね同様に構成されている。即ち、昇圧回路３１０−ｉ（但し、ｉ＝２、…、ｎ）は、チャージポンプ回路５１０−ｉ（但し、ｉ＝２、…、ｎ）と、フライングコンデンサＦＣｉ（但し、ｉ＝２、…、ｎ）と、出力側コンデンサ５２０−ｉ（但し、ｉ＝２、…、ｎ）とを含んで構成されており、入力電圧Ｖｉｎ−ｉ（但し、ｉ＝２、…、ｎ）を例えば２倍に昇圧して出力電圧Ｖｏｕｔ−ｉ（但し、ｉ＝２、…、ｎ）として出力する。
【００６６】
次に、上述した電源回路が備える昇圧回路の構成及び動作について、図６及び図７を参照して説明する。尚、ここでは、電源回路３００が備える複数の昇圧回路３１０−１、…、３１０−ｎのうち昇圧回路３１０−１の構成について説明するが、昇圧回路３１０−２、…、３１０−ｎは、上述したように、昇圧回路３１０−１と概ね同様に構成されている。但し、後に詳細に説明するように、これら複数の昇圧回路３１０は、２つのグループ（即ち、第１及び第２グループ）にグループ分けされており、同じグループに属する昇圧回路３１０には同位相のチャージクロック信号が供給され、且つ、異なるグループに属する昇圧回路３１０には逆位相のチャージクロック信号が供給される。
【００６７】
図６は、本実施形態に係る昇圧回路の構成を示す回路図である。
【００６８】
図６において、昇圧回路３１０−１は、チャージポンプ回路５１０−１と、フライングコンデンサＦＣ１と、出力側コンデンサ５２０−１とを備えている。
【００６９】
チャージポンプ回路５１０−１は、４つの昇圧用トランジスタ５１１−１、５１２−１、５１３−１及び５１４−１を有している。４つの昇圧用トランジスタ５１１−１、５１２−１、５１３−１及び５１４−１は、互いに直列に接続されている。
【００７０】
昇圧用トランジスタ５１１−１は、Ｎチャネル型のトランジスタであり、その一端が接地電位ＧＮＤ（例えば０Ｖ）に電気的に接続され、その他端が昇圧用トランジスタ５１２−１の一端に電気的に接続されている。昇圧用トランジスタ５１１−１の他端（言い換えれば、昇圧用トランジスタ５１２−１の一端）には、フライングコンデンサＦＣ１の一方の電極（具体的には、図８を参照して後述する外部電極２３９）が電気的に接続されている。昇圧用トランジスタ５１１−１のゲートには、昇圧用トランジスタ５１１−１のオン状態及びオフ状態を切り替えるための（即ち、昇圧用トランジスタ５１１−１のオンオフを制御する）チャージクロック信号ＣＫ１−１が供給される。
【００７１】
昇圧用トランジスタ５１２−１は、Ｐチャネル型のトランジスタであり、その一端が昇圧用トランジスタ５１１−１の他端に電気的に接続され、その他端が昇圧用トランジスタ５１３−１の一端に電気的に接続されている。昇圧用トランジスタ５１２−１の他端（言い換えれば、昇圧用トランジスタ５１３−１の一端）には、昇圧回路３１０−１の入力端子Ｐｉｎ−１が電気的に接続されている。昇圧回路３１０−１の入力端子Ｐｉｎ−１には、入力電圧Ｖｉｎ−１（例えば３Ｖで一定の電圧）が入力される。昇圧用トランジスタ５１２−１のゲートには、昇圧用トランジスタ５１２−１のオン状態及びオフ状態を切り替えるためのチャージクロック信号ＣＫ１−２が供給される。
【００７２】
昇圧用トランジスタ５１３−１は、Ｐチャネル型のトランジスタであり、その一端が昇圧用トランジスタ５１２−１の他端に電気的に接続され、その他端が昇圧用トランジスタ５１４−１の一端に電気的に接続されている。昇圧用トランジスタ５１３−１の一端（言い換えれば、昇圧用トランジスタ５１２−１の他端）には、昇圧回路３１０−１の入力端子Ｐｉｎ−１が電気的に接続されている。昇圧用トランジスタ５１３−１の他端（言い換えれば、昇圧用トランジスタ５１４−１の一端）には、フライングコンデンサＦＣ１の他方の電極（具体的には、図８を参照して後述する外部電極２３９）が電気的に接続されている。昇圧用トランジスタ５１３−１のゲートには、昇圧用トランジスタ５１３−１のオン状態及びオフ状態を切り替えるためのチャージクロック信号ＣＫ１−３が供給される。
【００７３】
昇圧用トランジスタ５１４−１は、Ｐチャネル型のトランジスタであり、その一端が昇圧用トランジスタ５１３−１の他端に電気的に接続され、その他端が出力側コンデンサ５２０−１及び昇圧回路３１０−１の出力端子Ｐｏｕt−１に電気的に接続されている。昇圧用トランジスタ５１４−１のゲートには、昇圧用トランジスタ５１４−１のオン状態及びオフ状態を切り替えるためのチャージクロック信号ＣＫ１−４が供給される。
【００７４】
フライングコンデンサＦＣ１は、昇圧用トランジスタ５１１−１の他端（言い換えれば、昇圧用トランジスタ５１２−１の一端）と、昇圧用トランジスタ５１３−１の他端（言い換えれば、昇圧用トランジスタ５１４−１の一端）との間に電気的に接続されている。即ち、フライングコンデンサＦＣ１の一方の電極は、昇圧用トランジスタ５１１−１の他端（言い換えれば、昇圧用トランジスタ５１２−１の一端）に電気的に接続され、フライングコンデンサＦＣ１の他方の電極は、昇圧用トランジスタ５１３−１の他端（言い換えれば、昇圧用トランジスタ５１４−１の一端）に電気的に接続されている。フライングコンデンサＦＣ１は、図１を参照して上述したアレイコンデンサ２３０の一部として形成されている。尚、アレイコンデンサ２３０の構成については、図８及び図９を参照して後述する。
【００７５】
出力側コンデンサ５２０−１は、その一方の電極が昇圧用トランジスタ５１４−１の他端及び昇圧回路３１０−１の出力端子Ｐｏｕｔ−１に電気的に接続され、その他方の電極が接地電位ＧＮＤに電気的に接続されている。
【００７６】
図７は、本実施形態に係る昇圧回路の動作を説明するためのタイミングチャートである。
【００７７】
図７には、チャージクロック信号ＣＫ１−１、…、ＣＫ１−４の電圧の時間的変化が示されると共に、フライングコンデンサＦＣ１の一方の電極に電気的に接続された端子Ａ１における電圧Ｖ−Ａ１（言い換えれば、フライングコンデンサＦＣ１の一方の電極の電圧Ｖ−Ａ１）の時間的変化と、フライングコンデンサＦＣ１の他方の電極に電気的に接続された端子Ｂ１における電圧Ｖ−Ｂ１（言い換えれば、フライングコンデンサＦＣ１の他方の電極の電圧Ｖ−Ｂ１）の時間的変化が示されている。
【００７８】
図７において、チャージクロック信号ＣＫ１−１、…、ＣＫ１−４は、それぞれ、所定の周期でハイレベル（Ｈ）及びローレベル（Ｌ）の電圧が切り換わるクロック信号である。
【００７９】
図６及び図７において、昇圧回路３１０−１は、チャージクロック信号ＣＫ１−１、…、ＣＫ１−４に基づいて、チャージポンプ回路５１０−１においてチャージポンプ動作を行うことにより、入力電圧Ｖｉｎ−１（例えば３Ｖ）を、２倍に昇圧して、出力電圧Ｖｏｕｔ−１（例えば、３Ｖ×２＝６Ｖ）として出力する。具体的には、昇圧回路３１０−１の動作時には、例えば、先ず、期間Ｔ１において、昇圧用トランジスタ５１１−１及び５１３−１が、チャージクロック信号ＣＫ１−１及びＣＫ１−３の各々により、オン状態（即ち、導通状態）とされると共に、昇圧用トランジスタ５１２−１及び５１４−１が、チャージクロック信号ＣＫ１−２及びＣＫ１−４の各々により、オフ状態（即ち、非導通状態）とされる。これにより、フライングコンデンサＦＣ１の一方の電極の電圧Ｖ−Ａ１が、接地電位ＧＮＤとされると共に、フライングコンデンサＦＣ１の他方の電極の電圧Ｖ−Ｂ１が、入力電圧Ｖｉｎ−１とされる。よって、期間Ｔ１において、フライングコンデンサＦＣ１に入力電圧Ｖｉｎ−１に応じた電荷が蓄積される（即ち、入力電圧Ｖｉｎ−１分だけフライングコンデンサＦＣ１の充電が行われる）。続いて、期間Ｔ２において、昇圧用トランジスタ５１１−１及び５１３−１が、チャージクロック信号ＣＫ１−１及びＣＫ１−３の各々により、オフ状態とされると共に、昇圧用トランジスタ５１２−１及び５１４−１が、チャージクロック信号ＣＫ１−２及びＣＫ１−４の各々により、オン状態とされる。これにより、それまで接地電位ＧＮＤ（例えば０Ｖ）であったフライングコンデンサＦＣ１の一方の電極の電圧Ｖ−Ａ１が、入力電圧Ｖｉｎ−１（例えば３Ｖ）に高められると共に、それまで入力電圧Ｖｉｎ−１（例えば３Ｖ）であったフライングコンデンサＦＣ１の他方の電極の電圧Ｖ−Ｂ１が、入力電圧Ｖｉｎの２倍の電圧２×Ｖｉｎ−１（例えば６Ｖ）に高められる。更に、期間Ｔ２において、フライングコンデンサＦＣ１に蓄積された電荷が、オン状態とされた昇圧用トランジスタ５１４−１を介して、出力側トランジスタ５２０−１に移動する（即ち、フライングコンデンサＦＣ１の放電が行われる）。出力側トランジスタ５２０−１の一方の電極は、接地電位ＧＮＤに電気的に接続されているので、結果として、昇圧回路３１０−１の出力端子Ｐｏｕｔ−１に、入力電圧Ｖｉｎ−１の２倍の電圧２×Ｖｉｎ−１（例えば６Ｖ）が出力電圧Ｖｏｕｔ−１として出力される。期間Ｔ２に続く期間Ｔ３では、期間Ｔ１と同様に、フライングコンデンサＦＣ１の充電が行われ、期間Ｔ３に続く期間Ｔ４では、期間Ｔ２と同様に、フライングコンデンサＦＣ１の放電が行われる。以上のように、昇圧回路３１０−１の動作時には、チャージクロック信号ＣＫ１−１、…、ＣＫ１−４に基づいて、フライングコンデンサＦＣ１の充電及び放電が繰り返される（言い換えれば、フライングコンデンサＦＣ１に、チャージクロック信号ＣＫ１−１、…、ＣＫ１−４と同じ周期で入力電圧Ｖｉｎ−１と同じ大きさの振幅を有する交流電圧が印加される）ことにより、入力電圧Ｖｉｎ−１が２倍に昇圧されて、出力電圧Ｖｏｕｔ−１として出力される。
【００８０】
次に、本実施形態に係る回路基板に実装されたアレイコンデンサの構成について、図８及び図９を参照して説明する。
【００８１】
図８は、本実施形態に係るアレイコンデンサの構成を示す斜視図であり、図９は、本実施形態に係るアレイコンデンサの容量部の構成を示す分解斜視図である。
【００８２】
図８において、アレイコンデンサ２３０は、４つのコンデンサを含むアレイ型の積層セラミックコンデンサであり、本実施形態では、４つのコンデンサとして、上述した電源回路３００に含まれるフライングコンデンサＦＣを４つ含んでいる。即ち、アレイコンデンサ２３０は、フライングコンデンサＦＣ１、ＦＣ２、ＦＣ３及びＦＣ４を含むアレイ型の積層セラミックコンデンサである。尚、ここでは、説明の便宜上、アレイコンデンサ２３０にフライングコンデンサＦＣが４つ含まれる例をあげて説明するが、アレイコンデンサ２３０は、２つ、３つ、或いは５つ以上のフライングコンデンサＦＣを含むように構成されてもよい。
【００８３】
アレイコンデンサ２３０は、容量を形成する容量部２３１と、複数の外部電極２３９とを備えている。外部電極２３９は、フライングコンデンサＦＣ毎に２つずつ設けられている。各フライングコンデンサＦＣの２つの外部電極２３９は、対応するチャージポンプ回路５１０に電気的に接続されている。即ち、フライングコンデンサＦＣ１の２つの外部電極２３９は、チャージポンプ回路５１０−１（図５参照）に電気的に接続され、フライングコンデンサＦＣ２の２つの外部電極２３９は、チャージポンプ回路５１０−２（図５参照）に電気的に接続され、フライングコンデンサＦＣ３の２つの外部電極２３９は、チャージポンプ回路５１０−３（図５参照）に電気的に接続され、フライングコンデンサＦＣ４の２つの外部電極２３９は、チャージポンプ回路５１０−４（図５参照）に電気的に接続されている。
【００８４】
図９に示すように、アレイコンデンサ２３０の容量部２３１は、絶縁材料からなる一対の基材２３２間に、内部電極２３３とシート状の誘電体２３４とが交互に積層されてなる。具体的には、一対の基材２３２間に、シート状の誘電体２３４上に４つの内部電極２３３が配列されたものが、所定枚数だけ積層されてなる。内部電極２３３の各々は、誘電体２３４の端まで延びる接続部２３５を有しており、接続部２３５において外部電極２３９と電気的に接続される。
【００８５】
次に、本実施形態に係る回路基板に実装されたアレイコンデンサの特有の構成について、図１０及び図１１を参照して説明する。
【００８６】
図１０は、本実施形態に係るアレイコンデンサの特有の構成を説明するための概念図であり、図１１は、本実施形態に係るアレイコンデンサに含まれる複数のフライングコンデンサに印加される電圧の時間的変化を説明するためのタイミングチャートである。
【００８７】
図１０において、アレイコンデンサ２３０は、４つのフライングコンデンサＦＣ（即ち、フライングコンデンサＦＣ１、…、ＦＣ４）を含んでいる。
【００８８】
本実施形態では特に、４つのフライングコンデンサＦＣは、２つのグループ（即ち、第１及び第２グループ）にグループ分けされており、同じグループに属するフライングコンデンサＦＣには同位相の交流電圧が印加され、且つ、異なるグループに属するフライングコンデンサＦＣには逆位相の交流電圧が印加されるように構成されている。具体的には、４つのフライングコンデンサＦＣのうち、フライングコンデンサＦＣ１及びＦＣ３は、互いに同位相の交流電圧が印加される第１グループに属し、フライングコンデンサＦＣ２及びＦＣ４は、第１グループに属するフライングコンデンサＦＣ１及びＦＣ３に印加される交流電圧とは逆位相の交流電圧が印加される第２グループに属している。言い換えれば、４つのフライングコンデンサＦＣ１、…、ＦＣ４を夫々含む４つの昇圧回路３１０−１、…、３１０−４は、２つのグループ（即ち、第１及び第２グループ）にグループ分けされており、同じグループに属する昇圧回路３１０には同位相のチャージクロック信号が供給され、且つ、異なるグループに属する昇圧回路３１０には逆位相のチャージクロック信号が供給される。具体的には、第１グループに属するフライングコンデンサＦＣ１を含む昇圧回路３１０−１に供給されるチャージクロック信号ＣＫ１（即ち、チャージクロック信号ＣＫ１−１、…、ＣＫ１−４）と、第１グループに属するフライングコンデンサＦＣ３を含む昇圧回路３１０−３に供給されるチャージクロック信号ＣＫ３（即ち、チャージクロック信号ＣＫ３−１、…、ＣＫ３−４）とは、同位相であり、第２グループに属するフライングコンデンサＦＣ２を含む昇圧回路３１０−２に供給されるチャージクロック信号ＣＫ２（即ち、チャージクロック信号ＣＫ２−１、…、ＣＫ２−４）と、第２グループに属するフライングコンデンサＦＣ４を含む昇圧回路３１０−４に供給されるチャージクロック信号ＣＫ４（即ち、チャージクロック信号ＣＫ４−１、…、ＣＫ４−４）とは同位相であり、チャージクロック信号ＣＫ１及びＣＫ３と、チャージクロック信号ＣＫ２及びＣＫ４とは互いに逆位相である。
【００８９】
つまり、図１１に示すように、フライングコンデンサＦＣ１の一方電極の電圧Ｖ−Ａ１と、フライングコンデンサＦＣ３の一方の電極の電圧Ｖ−Ａ３とは同位相で時間的に変化し、フライングコンデンサＦＣ２の一方の電極の電圧Ｖ−Ａ２と、フライングコンデンサＦＣ４の一方の電極の電圧Ｖ−Ａ４とは、同位相で、且つ、電圧Ｖ−Ａ１及びＶ−Ａ３に対して逆位相で時間的に変化する。同様に、フライングコンデンサＦＣ１の他方の電極の電圧Ｖ−Ｂ１と、フライングコンデンサＦＣ３の他方の電極の電圧Ｖ−Ｂ３とは同位相で時間的に変化し、フライングコンデンサＦＣ２の他方の電極の電圧Ｖ−Ｂ２と、フライングコンデンサＦＣ４の他方の電極の電圧Ｖ−Ｂ４とは、同位相で、且つ、電圧Ｖ−Ｂ１及びＶ−Ｂ３に対して逆位相で時間的に変化する。言い換えれば、電源回路３００は、フライングコンデンサＦＣ１及びＦＣ３が同じタイミングで充電及び放電が繰り返され、フライングコンデンサＦＣ２及びＦＣ４が、フライングコンデンサＦＣ１及びＦＣ３とは逆のタイミングで充電及び放電が繰り返されるように（即ち、フライングコンデンサＦＣ１及びＦＣ３の充電が行われる期間にフライングコンデンサＦＣ２及びＦＣ４の放電が行われると共に、フライングコンデンサＦＣ１及びＦＣ３の放電が行われる期間にフライングコンデンサＦＣ２及びＦＣ４の充電が行われるように）構成されている。
【００９０】
ここで、フライングコンデンサＦＣ１、ＦＣ２、ＦＣ３及びＦＣ４は、アレイコンデンサ２３０において、この順に配列されており、第１グループに属するフライングコンデンサＦＣ（即ち、フライングコンデンサＦＣ１及びＦＣ３）と、第１グループとは逆位相の交流電圧が印加される第２グループに属するフライングコンデンサＦＣ（即ち、フライングコンデンサＦＣ２及びＦＣ４）とが互いに隣り合っている。言い換えれば、本実施形態では、アレイコンデンサ２３０において、第１グループに属するフライングコンデンサＦＣと、第２グループに属するフライングコンデンサＦＣとが交互に配列されている。
【００９１】
よって、第１グループに属するフライングコンデンサＦＣ（即ち、ＦＣ１及びＦＣ３）を構成する誘電体と、第２グループに属するコンデンサＦＣ（即ち、ＦＣ２及びＦＣ４）を構成する誘電体とには、互いに逆位相の交流電圧が印加される。従って、第１グループに属するコンデンサＦＣの誘電体の圧電性に起因して生ずる、第１グループに属するコンデンサＦＣの機械的な振動と、第２グループに属するフライングコンデンサＦＣの誘電体の圧電性に起因して生ずる、第２グループに属するフライングコンデンサＦＣの機械的な振動とを互いに逆位相とすることができる。これにより、第１グループに属するコンデンサＦＣ（即ち、ＦＣ１及びＦＣ３）の機械的な振動と、第２グループに属するコンデンサＦＣ（即ち、ＦＣ２及びＦＣ４）の機械的な振動とを互いに打ち消し合わせる（即ち、相殺させる）ことができる。
【００９２】
ここで、フライングコンデンサＦＣ１、…、ＦＣ４の各々の機械的な振動の周期は、各フライングコンデンサＦＣに入力される交流電圧に応じたものとなる。よって、第１グループに属するフライングコンデンサＦＣの機械的な振動の周期と、第２グループに属するフライングコンデンサＦＣの機械的な振動の周期とは殆ど或いは完全に一致するので、第１グループに属するフライングコンデンサＦＣ（即ち、ＦＣ１及びＦＣ３）の機械的な振動と、第２グループに属するフライングコンデンサＦＣ（即ち、ＦＣ２及びＦＣ４）の機械的な振動とを確実に相殺させることができる。この結果、電源回路３００の動作時に、フライングコンデンサＦＣに交流電圧が入力される際、アレイコンデンサ２３０（即ち、フライングコンデンサＦＣ１、…、ＦＣ４）が機械的に振動して雑音が発生してしまうことを抑制することができる。
【００９３】
更に、本実施形態では、上述したように、フライングコンデンサＦＣ１、…、ＦＣ４は、アレイコンデンサ２３０として形成されている（言い換えれば、フライングコンデンサＦＣ１、…、ＦＣ４は、互いに同じ方向に積層された積層構造を有する）ので、フライングコンデンサＦＣ１、…、ＦＣ４に交流電圧が入力される際、第１グループに属するフライングコンデンサＦＣ（即ち、ＦＣ１及びＦＣ３）の誘電体に対する電圧の印加方向と、第２グループに属するフライングコンデンサＦＣ（即ち、ＦＣ２及びＦＣ４）の誘電体に対する電圧の印加方向とを互いに逆（即ち、反対）にすることができる。よって、第１グループに属するフライングコンデンサＦＣの振動方向と、第２グループに属するフライングコンデンサＦＣの振動方向とを互いに逆にすることができ、第１グループに属するフライングコンデンサＦＣ（即ち、ＦＣ１及びＦＣ３）の振動と、第２グループに属するフライングコンデンサＦＣ（即ち、ＦＣ２及びＦＣ４）の振動とを、より確実に、互いに打ち消し合わせることができる。
【００９４】
加えて、本実施形態によれば、フレキシブル基板２１０（図１参照）に実装されたアレイコンデンサ２３０が機械的に振動することを抑制できるので、アレイコンデンサ２３０の振動がフレキシブル基板２１０に伝播することにより発生する雑音を低減することもできる。
【００９５】
更に加えて、本実施形態によれば、上述したように、第１グループに属するフライングコンデンサＦＣの振動と、第２グループに属するフライングコンデンサＦＣの振動とを互いに打ち消し合わせるので、フレキシブル基板２１０（図１参照）上の領域を狭めずに、アレイコンデンサ２３０の振動を抑制できる。よって、フレキシブル基板２１０上の限られた領域を有効に利用することができる。或いは、フレキシブル基板２１０を小さくすることも可能であり、回路基板２００（図１参照）の小型化、言い換えれば、液晶装置１（図１参照）全体の小型化も可能となる。
【００９６】
本実施形態では特に、４つのフライングコンデンサＦＣ１、…、ＦＣ４は、一つのアレイコンデンサ２３０として形成されており、第１グループに属するフライングコンデンサＦＣ１及びＦＣ３と、第２グループに属するフライングコンデンサＦＣ２及びＦＣ４とが、例えば他の電子部品を介さずに、互いに近接して配置されている。従って、第１グループに属するフライングコンデンサＦＣ１及びＦＣ３の振動と、第２グループに属するフライングコンデンサＦＣ２及びＦＣ４の振動とを、より確実に、互いに打ち消し合わせることができる。
【００９７】
尚、本実施形態では、アレイコンデンサ２３０に含まれる４つのフライングコンデンサＦＣ１、…、ＦＣ４に互いに異なる大きさの交流電圧が入力される場合を例として説明したが、アレイコンデンサ２３０は、当該アレイコンデンサ２３０に含まれる複数のフライングコンデンサＦＣに、互いに同じ大きさの交流電圧が入力され、第１グループに属するフライングコンデンサＦＣの数と、第２グループに属するフライングコンデンサＦＣの数とが互いに同じであるように構成されてもよい。この場合には、第１グループに属するフライングコンデンサＦＣの振動と、第２グループに属するフライングコンデンサＦＣの振動とを、より確実に、互いに打ち消し合わせることができる。
【００９８】
以上説明したように、本実施形態によれば、液晶パネル１００に接続された回路基板２００において、フレキシブル基板２１０上の領域を狭めることなく、アレイコンデンサ２３０の振動を抑制することができる。よって、液晶装置１の動作時に、アレイコンデンサ２３０が機械的に振動して雑音が発生してしまうことを抑制することができる。
【００９９】
＜第２実施形態＞
第２実施形態に係る液晶装置について、図１２を参照して説明する。
【０１００】
図１２は、第２実施形態に係るアレイコンデンサの特有の構成を説明するための概念図である。尚、図１２において、図１から図１１に示した第１実施形態に係る構成要素と同様の構成要素に同一の参照符合を付し、それらの説明は適宜省略する。
【０１０１】
第２実施形態に係る液晶装置は、アレイコンデンサ２３０に含まれるフライングコンデンサＦＣ１、…、ＦＣ４に夫々印加される交流電圧の時間的変化が、上述した第１実施形態に係る液晶装置と異なり、その他の点については、上述した第１実施形態に係る液晶装置と概ね同様に構成されている。
【０１０２】
図１２において、本実施形態では特に、４つのフライングコンデンサＦＣのうち、フライングコンデンサＦＣ１及びＦＣ２は、互いに同位相の交流電圧が印加される第１グループに属し、フライングコンデンサＦＣ３及びＦＣ４は、第１グループに属するフライングコンデンサＦＣ１及びＦＣ２に印加される交流電圧とは逆位相の交流電圧が印加される第２グループに属している。即ち、互いに同じグループに属する複数のフライングコンデンサからなるコンデンサ群が互いに隣り合うように配置されている。つまり、第１グループ（即ち、フライングコンデンサＦＣ１及びＦＣ２からなるコンデンサ群）と、第２グループ（即ち、フライングコンデンサＦＣ３及びＦＣ４からなるコンデンサ群）とが互いに隣り合って配置されている。
【０１０３】
具体的には、フライングコンデンサＦＣ１を含む昇圧回路３１０−１に供給されるチャージクロック信号ＣＫ１（即ち、チャージクロック信号ＣＫ１−１、…、ＣＫ１−４）と、フライングコンデンサＦＣ２を含む昇圧回路３１０−２に供給されるチャージクロック信号ＣＫ２（即ち、チャージクロック信号ＣＫ２−１、…、ＣＫ２−４）とは、同位相であり、フライングコンデンサＦＣ３を含む昇圧回路３１０−３に供給されるチャージクロック信号ＣＫ３（即ち、チャージクロック信号ＣＫ３−１、…、ＣＫ３−４）と、フライングコンデンサＦＣ４を含む昇圧回路３１０−４に供給されるチャージクロック信号ＣＫ４（即ち、チャージクロック信号ＣＫ４−１、…、ＣＫ４−４）とは同位相であり、チャージクロック信号ＣＫ１及びＣＫ２と、チャージクロック信号ＣＫ３及びＣＫ４とは逆位相である。つまり、フライングコンデンサＦＣ１の一方の電極の電圧Ｖ−Ａ１と、フライングコンデンサＦＣ２の一方の電極の電圧Ｖ−Ａ２とは同位相で時間的に変化し、フライングコンデンサＦＣ３の一方の電極の電圧Ｖ−Ａ３と、フライングコンデンサＦＣ４の一方の電極の電圧Ｖ−Ａ４とは、同位相で、且つ、電圧Ｖ−Ａ１及びＶ−Ａ２に対して逆位相で時間的に変化する。同様に、フライングコンデンサＦＣ１の他方の電極の電圧Ｖ−Ｂ１と、フライングコンデンサＦＣ２の他方の電極の電圧Ｖ−Ｂ２とは同位相で時間的に変化し、フライングコンデンサＦＣ３の他方の電極の電圧Ｖ−Ｂ３と、フライングコンデンサＦＣ４の他方の電極の電圧Ｖ−Ｂ４とは、同位相で、且つ、電圧Ｖ−Ｂ１及びＶ−Ｂ２に対して逆位相で時間的に変化する。
【０１０４】
よって、第１グループと第２グループとの境目付近において、第１グループに属するフライングコンデンサＦＣ１及びＦＣ２の振動と、第２グループに属するフライングコンデンサＦＣ３及びＦＣ４の振動とを互いに打ち消し合わせることができる。従って、アレイコンデンサ２３０が機械的に振動することを抑制できる。この結果、アレイコンデンサ２３０の振動に起因して発生する雑音を低減することができる。
【０１０５】
尚、本実施形態では、第１グループに属するフライングコンデンサＦＣの数と、第２グループに属するフライングコンデンサＦＣの数とが同じになるように構成したが、第１グループに属するフライングコンデンサＦＣの数と、第２グループに属するフライングコンデンサＦＣの数とが異なるように構成してもよい。この場合にも、第１グループと第２グループとの境目付近において、第１グループに属するフライングコンデンサＦＣの振動と、第２グループに属するフライングコンデンサＦＣの振動とを互いに打ち消し合わせることができる。
【０１０６】
＜第３実施形態＞
次に、第３実施形態に係る液晶装置について、図１３を参照して説明する。
【０１０７】
図１３は、第３実施形態に係るアレイコンデンサの特有の構成を説明するための概念図である。尚、図１３において、図１から図１１に示した第１実施形態に係る構成要素と同様の構成要素に同一の参照符合を付し、それらの説明は適宜省略する。
【０１０８】
第３実施形態に係る液晶装置は、アレイコンデンサ２３０に含まれるフライングコンデンサＦＣ１、…、ＦＣ４に夫々印加される交流電圧の時間的変化が、上述した第１実施形態に係る液晶装置と異なり、その他の点については、上述した第１実施形態に係る液晶装置と概ね同様に構成されている。
【０１０９】
図１３において、本実施形態では特に、４つのフライングコンデンサＦＣのうち、フライングコンデンサＦＣ１、ＦＣ３及びＦＣ４の各々に入力される交流電圧は、フライングコンデンサＦＣ２に入力される交流電圧よりも小さい。尚、本実施形態において、フライングコンデンサＦＣ２は、本発明に係る「第１のコンデンサ」の一例であり、フライングコンデンサＦＣ１は、本発明に係る「第２のコンデンサ」の一例であり、フライングコンデンサＦＣ３は、本発明に係る「第３のコンデンサ」の一例である。
【０１１０】
更に、フライングコンデンサＦＣ１、ＦＣ３及びＦＣ４は、互いに同位相の交流電圧が印加される第２グループに属し、フライングコンデンサＦＣ２は、第２グループに属するフライングコンデンサＦＣ１、ＦＣ３及びＦＣ４に印加される交流電圧とは逆位相の交流電圧が印加される第１グループに属している。具体的には、フライングコンデンサＦＣ１を含む昇圧回路３１０−１に供給されるチャージクロック信号ＣＫ１（即ち、チャージクロック信号ＣＫ１−１、…、ＣＫ１−４）と、フライングコンデンサＦＣ３を含む昇圧回路３１０−３に供給されるチャージクロック信号ＣＫ３（即ち、チャージクロック信号ＣＫ３−１、…、ＣＫ３−４）と、フライングコンデンサＦＣ４を含む昇圧回路３１０−４に供給されるチャージクロック信号ＣＫ４（即ち、チャージクロック信号ＣＫ４−１、…、ＣＫ４−４）とは、同位相であり、フライングコンデンサＦＣ２を含む昇圧回路３１０−２に供給されるチャージクロック信号ＣＫ２（即ち、チャージクロック信号ＣＫ２−１、…、ＣＫ２−４）は、チャージクロック信号ＣＫ１、ＣＫ３及びＣＫ４に対して逆位相である。つまり、フライングコンデンサＦＣ１の一方電極の電圧Ｖ−Ａ１と、フライングコンデンサＦＣ３の一方の電極の電圧Ｖ−Ａ３と、フライングコンデンサＦＣ４の一方の電極の電圧Ｖ−Ａ４とは同位相で時間的に変化し、フライングコンデンサＦＣ２の一方の電極の電圧Ｖ−Ａ２は、電圧Ｖ−Ａ１、Ｖ−Ａ３及びＶ−Ａ４に対して逆位相で時間的に変化する。同様に、フライングコンデンサＦＣ１の他方の電極の電圧Ｖ−Ｂ１と、フライングコンデンサＦＣ３の他方の電極の電圧Ｖ−Ｂ３と、フライングコンデンサＦＣ４の他方の電極の電圧Ｖ−Ｂ４とは同位相で時間的に変化し、フライングコンデンサＦＣ２の他方の電極の電圧Ｖ−Ｂ２は、電圧Ｖ−Ｂ１、Ｖ−Ｂ３及びＶ−Ｂ３に対して逆位相で時間的に変化する。
【０１１１】
よって、第１グループに属するフライングコンデンサＦＣ２の振動と、第２グループに属するフライングコンデンサＦＣ１、ＦＣ３及びＦＣ４の振動とを効果的に互いに打ち消し合わせることができる。
【０１１２】
ここで、フライングコンデンサＦＣ１及びＦＣ３（或いは、フライングコンデンサＦＣ１及びＦＣ４、又は、フライングコンデンサＦＣ３及びＦＣ４）に夫々入力される交流電圧の大きさは、フライングコンデンサＦＣ２に入力される交流電圧の大きさよりも小さい。即ち、（フライングコンデンサＦＣ２に入力される交流電圧の大きさ）＞（フライングコンデンサＦＣ１に入力される交流電圧の大きさ）≧（フライングコンデンサＦＣ３に入力される交流電圧の大きさ）の関係が成立する。よって、仮に何らの対策も施さねば、各フライングコンデンサＦＣに交流電圧が入力されると、フライングコンデンサＦＣ２は、フライングコンデンサＦＣ１及びＦＣ３（並びにＦＣ４）よりも大きな振幅で振動してしまうおそれがある。
【０１１３】
しかるに、本実施形態では特に、フライングコンデンサＦＣ１、ＦＣ２及びＦＣ３のうち入力される交流電圧の大きさが最も大きいフライングコンデンサＦＣ２と、入力される交流電圧の大きさがフライングコンデンサＦＣ２よりも小さいフライングコンデンサＦＣ１及びＦＣ３とは、互いに異なるグループに属するので、フライングコンデンサＦＣ２の振動と、フライングコンデンサＦＣ１及びＦＣ３の振動とを効果的に互いに打ち消し合わせることができる。つまり、本実施形態によれば、各グループで生じる振動の大きさが近似するように、各フライングコンデンサＦＣに入力される交流電圧の大きさに応じて、フライングコンデンサＦＣ１、…、ＦＣ４が２つのグループ（即ち、第１グループ及び第２グループ）にグループ分けされているので、第１グループに属するコンデンサの振動と、第２グループに属するコンデンサの振動とを、より確実に、相殺させることができる。
【０１１４】
＜電子機器＞
次に、上述した各実施形態に係る液晶装置を適用可能な電子機器の具体例について、図１４及び図１５を参照して説明する。
【０１１５】
先ず、上述した各実施形態に係る液晶装置を、可搬型のパーソナルコンピュータ（いわゆるノート型パソコン）の表示部に適用した例について説明する。図１４は、このパーソナルコンピュータの構成を示す斜視図である。同図に示すように、パーソナルコンピュータ１２００は、キーボード１２０２を備えた本体部１２０４と、上述した各実施形態に係る液晶装置を適用した表示部１２０５とを備えている。
【０１１６】
続いて、上述した各実施形態に係る液晶装置を、携帯電話機の表示部に適用した例について説明する。図１５は、この携帯電話機の構成を示す斜視図である。同図に示すように、携帯電話機１３００は、複数の操作ボタン１３０２のほか、受話口１３０３、送話口１３０４とともに、上述した各実施形態に係る液晶装置を適用した表示部１３０５を備えている。
【０１１７】
尚、図１４及び図１５を参照して説明した電子機器の他にも、プロジェクタや、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【０１１８】
また本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【０１１９】
本発明は、上述した実施形態に限られるものではなく、特許請求の範囲及び明細書全体から読み取れる発明の要旨或いは思想に反しない範囲で適宜変更可能であり、そのような変更を伴う回路基板、電気光学装置及び電子機器もまた本発明の技術的範囲に含まれるものである。
【図面の簡単な説明】
【０１２０】
【図１】第１実施形態に係る液晶装置の全体構成を概略的に示す斜視図である。
【図２】第１実施形態に係る液晶パネルの構成を示す平面図である。
【図３】図２のＨ−Ｈ’線断面図である。
【図４】第１実施形態に係る液晶装置の電気的な構成を示すブロック図である。
【図５】第１実施形態に係る電源回路の主要な構成を示すブロック図である。
【図６】第１実施形態に係る昇圧回路の構成を示す回路図である。
【図７】第１実施形態に係る昇圧回路の動作を説明するためのタイミングチャートである。
【図８】第１実施形態に係るアレイコンデンサの構成を示す斜視図である。
【図９】第１実施形態に係るアレイコンデンサの容量部の構成を示す分解斜視図である。
【図１０】第１実施形態に係るアレイコンデンサの特有の構成を説明するための概念図である。
【図１１】第１実施形態に係るアレイコンデンサに含まれる複数のフライングコンデンサに印加される電圧の時間的変化を説明するためのタイミングチャートである。
【図１２】第２実施形態に係るアレイコンデンサの特有の構成を説明するための概念図である。
【図１３】第３実施形態に係るアレイコンデンサの特有の構成を説明するための概念図である。
【図１４】本発明に係る電気光学装置を適用した電子機器の一例たるパーソナルコンピュータの構成を示す斜視図である。
【図１５】本発明に係る電気光学装置を適用した電子機器の一例たる携帯電話の構成を示す斜視図である。
【符号の説明】
【０１２１】
１００…液晶パネル、１０１…データ線駆動回路、１０４…走査線駆動回路、２００…回路基板、２１０…フレキシブル基板、２３０…アレイコンデンサ、３００…電源回路、３１０…昇圧回路、４００…表示コントローラ、５１０…チャージポンプ回路、ＦＣ…フライングコンデンサ
【図１】
2010101952.tif 000003
【図２】
2010101952.tif 000004
【図３】
2010101952.tif 000005
【図４】
2010101952.tif 000006
【図５】
2010101952.tif 000007
【図６】
2010101952.tif 000008
【図７】
2010101952.tif 000009
【図８】
2010101952.tif 000010
【図９】
2010101952.tif 000011
【図１０】
2010101952.tif 000012
【図１１】
2010101952.tif 000013
【図１２】
2010101952.tif 000014
【図１３】
2010101952.tif 000015
【図１４】
2010101952.tif 000016
【図１５】
2010101952.tif 000017